(57)【特許請求の範囲】
【請求項１】
遊星歯車において使用するためのピン・アセンブリであって、
開口から軸方向に延在し端部面にて終端する止まり穴、及び前記開口に隣接する前記止まり穴の内方表面から内方に垂下する環状リブを画成する、ピンと、
ストッパ部分及び前記ストッパ部分から延在するシャフトを備えるプラグであって、前記ストッパ部分は、外方周囲部を画定する円形ベースを備える、プラグと
を備え、
前記ストッパ部分の前記外方周囲部は、前記環状リブに係合し、それにより前記止まり穴内に前記プラグを維持する、ピン・アセンブリ。
【請求項２】
前記ストッパ部分は、前記円形ベースから先端部まで延在する外方壁部を有する円すい部をさらに備える、請求項１に記載のピン・アセンブリ。
【請求項３】
前記円すい部は、中空である、請求項２に記載のピン・アセンブリ。
【請求項４】
前記シャフトは、前記円すい部の前記先端部から外方に延在する、請求項２に記載のピン・アセンブリ。
【請求項５】
前記プラグは、可撓性ポリマーから構成される、請求項１に記載のピン・アセンブリ。
【請求項６】
前記プラグの前記ストッパ部分は、円筒状ディスクである、請求項１に記載のピン・アセンブリ。
【請求項７】
前記環状リブから前記止まり穴の端部面までの第１の距離が、前記シャフト４４の遠位端部から前記ストッパの前記円形ベースまでの第２の距離未満である、請求項１に記載のピン・アセンブリ。
【請求項８】
入口穴及び出口穴をさらに備え、前記入口穴及び前記出口穴は共に、前記ピンの外方円筒状表面から前記止まり穴の前記内方表面までラジアル方向に内方に延在する、請求項１に記載のピン・アセンブリ。
【請求項９】
前記プラグの前記シャフトは、前記止まり穴への挿入前に曲げられる、請求項１に記載のピン・アセンブリ。
【請求項１０】
遊星歯車において使用するためのピン・アセンブリであって、
開口から軸方向に延在し端部面にて終端する止まり穴、及び前記開口に隣接する前記止まり穴の内方表面から内方に垂下する環状リブを画成する、ピンと、
外方周囲部を画定する円形ベースと、前記円形ベースから先端部まで延在し、それにより円すい部を形成する外方壁部とを備えるストッパ部分を備えるプラグと
を備え、
前記ストッパ部分の前記外方周囲部は、前記環状リブに係合し、それにより前記止まり穴内に前記プラグを維持する、ピン・アセンブリ。
【請求項１１】
前記プラグは、前記プラグから延在するシャフト部分をさらに備える、請求項１０に記載のピン・アセンブリ。
【請求項１２】
前記環状リブから前記止まり穴の前記端部面までの第１の距離が、前記シャフトの遠位端部から前記ストッパの前記円形ベースまでの第２の距離未満である、請求項１１に記載のピン・アセンブリ。
【請求項１３】
前記プラグは、可撓性ポリマーから構成される、請求項１０に記載のピン・アセンブリ。
【請求項１４】
前記プラグの前記ストッパ部分は、円筒状ディスクである、請求項１０に記載のピン・アセンブリ。
【請求項１５】
入口穴及び出口穴をさらに備え、前記入口穴及び前記出口穴は共に、前記ピンの外方円筒状表面から前記止まり穴の前記内方表面までラジアル方向に内方に延在する、請求項１０に記載のピン・アセンブリ。
【請求項１６】
遊星歯車において使用するためのピン・アセンブリであって、
開口から軸方向に延在し端部面にて終端する止まり穴、及び前記開口に隣接する前記止まり穴の内方表面から内方に垂下する環状リブを画成する、ピンと、
ストッパ部分及び前記ストッパ部分から遠位端部まで延在するシャフトを備えるプラグであって、前記ストッパ部分は、外方周囲部を画定する円形ベースを備える、プラグと
を備え、
前記シャフトの前記遠位端部は、前記プラグが前記止まり穴に挿入される場合に、前記止まり穴の前記端部面に当接し、前記ストッパ部分の前記外方周囲部は、前記環状リブに係合し、それにより前記止まり穴内に前記プラグを維持する、ピン・アセンブリ。
【請求項１７】
前記ストッパ部分は、前記円形ベースから先端部まで延在する外方壁部を備える円すい部をさらに備える、請求項１６に記載のピン・アセンブリ。
【請求項１８】
前記プラグの前記ストッパ部分は、円筒状ディスクである、請求項１６に記載のピン・アセンブリ。
【発明の詳細な説明】
【技術分野】
【０００１】
本開示は、一般的には遊星軸受に関する。さらに詳細には、本開示は、遊星軸受のピンを通る潤滑流を向上させるためのプラグに関する。
【背景技術】
【０００２】
伝動装置内の遊星軸受に関する典型的な１つの懸念事項は、遊星軸受の転動要素への十分な潤滑流である。キャリア、中空ピン、部分中空ピン、横方向穿孔ピン、ボール／引き抜きプラグ・ピン等の上の潤滑油ダムが、遊星軸受に潤滑油を送るデバイス及び方法である。これらの設計はそれぞれ、高コスト、追加のカスタマー・アセンブリ、ボールの押圧又は鋼プラグの引っ張りによるピンの変形、押圧されたプラグが脱落する危険性、及び、特殊な考慮要件（すなわちバリ取り作業及び洗浄作業）を必要とする複数の複雑な機械加工動作によるデブリ／バリを含み得る、固有の懸念事項を有する。
【発明の概要】
【発明が解決しようとする課題】
【０００３】
本発明は、先行技術の構造及び方法の考慮要件を認識し、それに対処する。
【課題を解決するための手段】
【０００４】
本開示による一実施例は、開口から軸方向に延在し端部面にて終端する止まり穴と、開口に隣接する止まり穴の内方表面から内方に垂下する環状リブとを画成する、ピンを備える、遊星歯車において使用するためのピン・アセンブリである。プラグが、ストッパ部分及びストッパ部分から延在するシャフトを備え、ストッパ部分は、外方周囲部を画定する円形ベースを備える。ストッパ部分の外方周囲部は、環状リブに係合し、それにより止まり穴内にプラグを維持する。
【０００５】
本開示による別の実施例は、開口から軸方向に延在し端部面にて終端する止まり穴と、開口に隣接する止まり穴の内方表面から内方に垂下する環状リブとを画成する、ピンを備える、遊星歯車において使用するためのピン・アセンブリである。プラグが、外方周囲部を画定する円形ベースを備えるストッパ部分を備える。ストッパ部分の外方周囲部は、環状リブに係合し、それにより止まり穴内にプラグを維持する。
【０００６】
本開示によるさらに別の実施例は、開口から軸方向に延在し端部面にて終端する止まり穴と、開口に隣接する止まり穴の内方表面から内方に垂下する環状リブを画成する、ピンを備える、遊星歯車において使用するためのピン・アセンブリである。プラグが、ストッパ部分及びストッパ部分から遠位端部まで延在するシャフトを備え、ストッパ部分は、外方周囲部を画定する円形ベースを備える。シャフトの遠位端部は、プラグが止まり穴に挿入される場合に、止まり穴の端部面に当接する。
【０００７】
本明細書に組み込まれその一部を構成する添付の図面は、本発明の１つ又は複数の実施例を示し、以下の説明と共に本発明の原理を説明する役割を果たす。
【０００８】
以下の添付の図面を参照とする、当業者に向けられた本発明の最良の実施例を含む本発明の十分かつ実施可能な程度の開示が、本明細書に示される。
【図面の簡単な説明】
【０００９】
【図１】本開示の一実施例による遊星軸受ピン及びプラグ・アセンブリの断面図である。
【図２】組み立てられた状態における、図１に示すような遊星軸受ピン及びプラグ・アセンブリの断面図である。
【図３】本開示の代替的な一実施例による遊星軸受ピン及びプラグ・アセンブリの断面図である。
【図４】組み立てられた状態における、図３に示すような遊星軸受ピン及びプラグ・アセンブリの断面図である。
【発明を実施するための形態】
【００１０】
本明細書及び図面内おいて繰り返して使用される参照符号は、本開示による本発明の同一の又は類似の特徴又は要素を表すように意図される。
【００１１】
以下、添付の図面に１つ又は複数の実例が図示された、本発明の現時点において好ましい実施例を詳細に参照する。各実例は、本発明の限定ではなく説明として提示される。実際には、本発明の範囲及び趣旨から逸脱することなく、修正及び変形が本発明においてなされ得る点が、当業者には自明となろう。例えば、一実施例の一部として図示又は説明される特徴は、別の実施例において使用されることにより、さらなる一実施例を生み出し得る。したがって、本発明は、添付の特許請求の範囲及びそれらの均等物の範囲内に含まれるような修正及び変形を範囲に含むように意図される。
【００１２】
次に図面を参照すると、本開示による遊星ピン・アセンブリ１０が、図１及び図２に示される。遊星ピン・アセンブリ１０は、止まり穴２２を画成する遊星ピン２０と、ストッパ部分４２及びストッパ部分４２から延在するシャフト４４を備えるプラグ４０とを備える。図示するように、プラグ４０は、遊星ピン２０の止まり穴２２内に摺動自在に受けられる。
【００１３】
図１に示すように、止まり穴２２は、遊星ピン２０の長手方向中心軸２６を中心として同心状になるように、遊星ピン２０の第１の端部２４から内方に延在する。止まり穴２２は、円すい形状端部面２８にて終端する。しかし、代替的な実施例においては、端部面２８は、平坦であってもよい点に留意されたい。環状リブ３０が、止まり穴２２の内方表面３２から内方へと延在する。環状リブ３０は、遊星ピン２０の第１の端部２４にて止まり穴２２の開口３４に隣接して配設される。好ましくは、端部面２８の先端部３６と環状リブ３０の最内部分３０ａとは、距離（Ｘ）だけ離間される。入口穴３８及び出口穴３９が、遊星ピン２０の外方円筒状表面から止まり穴２２の内方円筒状表面までラジアル方向に内方に延在する。
【００１４】
プラグ４０は、ストッパ部分４２と、ストッパ部分４２から延在するシャフト４４とを備える。図示するように、ストッパ部分４２は、好ましくは、円筒状ベース４６から先端部４８まで延在する外方壁部を有する中空円すい構造体である。シャフト４４は、ストッパ部分の先端部４８から外方に延在する。図示するように、シャフト４４は、以下に論じる理由により、その近位端部４４ａと遠位端部４４ｂとの間において若干曲げられる。しかし、代替的な実施例においては、シャフト４４は、「休止」状態にある場合に屈曲部を備える必要はない点に留意されたい。さらに、代替的な実施例においては、ストッパ部分４２は、中実円すい構造体であることが可能であり、又は円筒状ディスクなどの異なる構成を共に有し得る。図示する好ましい実施例においては、シャフト４４の遠位端部４４ｂからストッパ４２のベース４６までのプラグ４０の全長は、距離（Ｙ）である。好ましくは、プラグ４０は、可撓性ポリマーから構成されるが、鋼などの他の材料が、使用されてもよい。
【００１５】
再び図２を参照すると、プラグ４０は、シャフト４４の遠位端部４４ｂが端部面２８に当接するまで、止まり穴２２内に挿入される。プラグ４０に対する内方圧力は、円筒状ベース４６の外方周囲部４６ａが環状リブ３０の最内部分３０ａに係合するまで、継続する。好ましくは、端部面２８と環状リブ３０との間の距離（Ｘ）は、プラグ４０の全長（Ｙ）よりも若干短い。そのため、プラグ４０が止まり穴２２内に完全に受けられた場合に、シャフト４４のさらなる屈曲が生じる。シャフト４４の屈曲は、環状リブ３０にストッパ部分４２の外方周囲部４６ａが当接して静止するのを支援し、それにより、入口穴３８を通る内方潤滑流が、開口３４を通り出るのではなく、出口穴３９を通して止まり穴２２から外に通過するのを助長する。
【００１６】
次に図３及び図４を参照すると、遊星ピン・アセンブリ１０ａの代替的な一実施例が示される。遊星ピン・アセンブリ１０ａは、プラグ４０ａのストッパ部分４２ａが中空円すい部ではなく円筒状ディスクである点において、図１及び図２に関連して先に論じた実施例と異なる。全ての他の点は同一であり、したがって、この実施例のさらなる議論はここでは省略する。
【００１７】
本発明の１つ又は複数の好ましい実施例を上記において説明したが、本発明の範囲及び趣旨から逸脱することなく、様々な修正及び変形を本発明においてなし得る点を、当業者には理解されたい。例えば、プラグの代替的な実施例が、厚さ及び形状の点でそれぞれ異なる、様々な弾性的変形可能な材料から構成される、等のストッパ部分を備えることが可能である。本発明は、添付の特許請求の範囲及びそれらの均等物の範囲及び趣旨に含まれるような修正及び変形を範囲に含むように意図される。
【図１】
0005956676.tif 000002
【図２】
0005956676.tif 000003
【図３】
0005956676.tif 000004
【図４】
0005956676.tif 000005